(57)【要約】【課題】部屋の広さ、部屋の湿度、衣類の量などの条件が異なった場合にも、所定時間内に衣類を適正に乾燥させることができる除湿機を提供することを目的とする。【解決手段】一定間隔で検知した周辺空気の温度Ｔｒと相対湿度Ｈｒより、衣類の乾燥速度Ｔｔを算出し、この乾燥速度Ｔｔを加算累積して（Ｓ１３〜Ｓ１７）、この加算累積値∫Ｔｔを運転開始後の所定時間後に所定時間後の判定値Ｄｎと比較し（Ｓ２１）、∫Ｔｔ＜Ｄｎであれば、除湿能力を高めて（Ｓ２２）、∫Ｔｔ＜Ｄｎでなければ除湿能力を低めて（Ｓ２３）除湿能力の調整をする。なお、Ｄｎは、運転開始直後に、周辺空気の温度と相対湿度に基づいて設定される（Ｓ１２）。【選択図】図４
2010094168.tif 000002
【特許請求の範囲】
【請求項１】
本体内に設けた空気を除湿する除湿手段と、空気を送風する送風手段および除湿対象空気を加熱するヒータ制御手段と、前記除湿手段と前記送風手段および前記ヒータ制御手段の運転を制御する制御部と、周辺空気の湿度を検出する湿度センサと、周辺空気の温度を検出する温度センサとを有し、前記制御部は、衣類乾燥運転開始時に、周辺空気の温度と相対湿度とから、乾燥完了の判定値を設定するアルゴリズムと、一定期間毎に検出した周辺温度と相対湿度に基づいて衣類の乾燥速度を算出するアルゴリズムと、前記乾燥速度を一定期間ごとに加算累積するアルゴリズムと、前記加算累積値が前記の乾燥完了の判定値に達したときに衣類の乾燥が終了したと判断するアルゴリズムと、乾燥運転開始時に前記乾燥完了の判定値に所定の係数を乗じた所定時間後の判定値を設定するアルゴリズムと、乾燥運転開始後の所定時間後に、前記所定時間後の判定値と前記乾燥速度の加算累積値とを比較するアルゴリズムと、前記比較結果に応じて、除湿能力を調整するアルゴリズムとを有する除湿機。
【請求項２】
制御部は、送風手段の送風量を変化させることにより除湿能力を調整するアルゴリズムを有する請求項１記載の除湿機。
【請求項３】
制御部は、ヒータ制御手段の加熱量を変化させることにより除湿能力を調整するアルゴリズムを有する請求項１記載の除湿機。
【請求項４】
制御部は、除湿能力の表示をするか否かを判定するアルゴリズムを有する請求項１記載の除湿機。
【請求項５】
除湿能力の表示をＯＮ／ＯＦＦするスイッチを備えた請求項４記載の除湿機。
【請求項６】
制御部は、除湿能力の調整を行うか行わないかを選択して設定する構成を有する請求項１記載の除湿機。
【請求項７】
制御部は、本体周辺の人の存在を検知する人感センサの検知結果に応じて、除湿能力の調整を行うか行わないかを判断するアルゴリズムを有する請求項６記載の除湿機。
【請求項８】
制御部は、本体周辺の照度を検知する照度センサの検知結果に応じて、除湿能力の調整を行うか行わないかを判断するアルゴリズムを有する請求項６記載の除湿機。
【請求項９】
制御部は、自動で運転を停止することを特徴とする請求項１記載の除湿機。
【発明の詳細な説明】
【技術分野】
【０００１】
本発明は、室内に吊り下げた衣類を乾燥する機能を備えた除湿機に関する。
【背景技術】
【０００２】
従来、この種の衣類乾燥機能を備えた除湿機は、室内に吊り下げた衣類を乾燥させる場合に、除湿機に設けたタイマーの時限を使用者が設定することで、衣類乾燥運転を終了することが一般的であった（例えば、特許文献１参照）。
【特許文献１】特開２００１−１４１２８４号公報
【発明の開示】
【発明が解決しようとする課題】
【０００３】
従来の方法では、室内の広さや衣類の量、及び室内の温度や湿度の条件により衣類の未乾燥（生乾き）や、過乾燥（乾き過ぎ）が発生するという課題があった。
【０００４】
本発明は、このような従来の課題を解決するものであり、衣類乾燥運転中に衣類の乾燥度を判定する手段を備えて、この手段の判断により、必要であれば除湿機の除湿能力を高めたり、低めたりして調節を行い、衣類を所定時間に適正に乾燥することが出来る除湿機を提供することを目的としている。
【課題を解決するための手段】
【０００５】
本発明の除湿機は上記目的を達成するために、本体内に設けた空気を除湿する除湿手段と、空気を送風する送風手段および除湿対象空気を加熱するヒータ制御手段と、前記除湿手段と前記送風手段および前記ヒータ制御手段の運転を制御する制御部と、周辺空気の湿度を検出する湿度センサと、周辺空気の温度を検出する温度センサとを有し、前記制御部は、衣類乾燥運転開始時に、周辺空気の温度と相対湿度とから、乾燥完了の判定値を設定するアルゴリズムと、一定期間毎に検出した周辺温度と相対湿度に基づいて衣類の乾燥速度を算出するアルゴリズムと、前記乾燥速度を一定期間ごとに加算累積するアルゴリズムと、前記加算累積値が前記の乾燥完了の判定値に達したときに衣類の乾燥が終了したと判断するアルゴリズムと、乾燥運転開始時に前記乾燥完了の判定値に所定の係数を乗じた所定時間後の判定値を設定するアルゴリズムと、乾燥運転開始後の所定時間後に、前記所定時間後の判定値と前記乾燥速度の加算累積値とを比較するアルゴリズムと、前記比較結果に応じて、除湿能力を調整するアルゴリズムとを有する構成としたものである。
【０００６】
この手段により、衣類の量や部屋の広さなどの影響を少なくして、衣類を所定時間に乾燥することができる除湿機が得られる。
【０００７】
また、他の手段は、前記制御部は、前記送風手段の送風量を変化させることにより除湿能力を調整するアルゴリズムを有するものである。
【０００８】
この手段により、除湿能力を高めた時は、送風ファンの回転数を上げることにより、強い風を衣類へあて、衣類がより乾燥しやすくなり生乾きを防止する事ができる除湿機が得られる。また、除湿能力を低めた時は、送風ファンの回転数を下げることにより、無駄な電力消費を削減でき省エネ効果を得ることができる除湿機が得られる。
【０００９】
また、他の手段は、前記制御部は、前記ヒータ制御手段の加熱量を変化させることにより除湿能力を調整するアルゴリズムを有するものである。
【００１０】
この手段により、除湿能力を高めた時は、加熱量を上げて、高温の空気を衣類へあてることにより、衣類がより乾燥しやすくなり生乾きを防止する事ができる除湿機が得られる。また、除湿能力を低めた時は、加熱量を下げることにより、無駄な電力消費を削減でき省エネ効果を得ることができる除湿機が得られる。
【００１１】
また、他の手段は、制御部は、除湿能力の表示をするか否かを判定するアルゴリズムを有するものである。
【００１２】
この手段により、使用者が除湿能力の調整状況が視覚的に認識することができることにより、衣類の干し方を調整する行動を起こすことができ、使い勝手の向上が図れることができる除湿機が得られる。
【００１３】
また、他の手段は、除湿能力の表示をＯＮ／ＯＦＦするスイッチを備えたものである。
【００１４】
この手段により、使用者が就寝中等に表示の明かりが気になる時に消すことができ、使い勝っての向上が図れ、表示を消すことにより省エネを図ることができる除湿機が得られる。
【００１５】
また、他の手段は、制御部は、除湿能力の調整を行うか行わないかを選択して設定する構成を有するものである。
【００１６】
この手段により、使用者が就寝中や除湿機の近傍にいる場合に、除湿能力を高めた時に発生する騒音の増大と室温の上昇防止が図れる事ができる除湿機が得られる。
【００１７】
また、他の手段は、制御部は、本体周辺の人の存在を検知する人感センサの検知結果に応じて、除湿能力の調整を行うか行わないかを判断することを特徴としたものである。
【００１８】
この手段により、除湿能力を高めた場合に発生する騒音の増大と室温の上昇防止が使用者の操作をすることなく自動で行え、使い勝手の向上と快適性を得ることができる除湿機が得られる。
【００１９】
また、他の手段は、前記制御部は、本体周辺の照度を検知する照度センサの検知結果に応じて、除湿能力の調整を行うか行わないかを判断するアルゴリズムを有したものである。
【００２０】
この手段により、除湿能力を高めた場合に発生する騒音の増大と室温の上昇防止が使用者の操作をすることなく自動で行え、使い勝手の向上と快適性を得る事ができる除湿機が得られる。
【００２１】
また、他の手段は、前記制御部は、自動で運転を停止するアルゴリズムを有したものである。
【００２２】
この手段により、衣類の乾き度合いを使用者が確認しながら運転を手動で停止する作業が省略でき使い勝って向上を図る事ができる除湿機が得られる。
【発明の効果】
【００２３】
本発明によれば、部屋の広さ、部屋の湿度、衣類の量などの条件が異なった場合にも、所定時間に衣類を適正に乾燥させることができるとう効果のある除湿機を提供できる。
【発明を実施するための最良の形態】
【００２４】
本発明の請求項１記載の発明は、本体内に設けた空気を除湿する除湿手段と、空気を送風する送風手段および除湿対象空気を加熱するヒータ制御手段と、前記除湿手段と前記送風手段および前記ヒータ制御手段の運転を制御する制御部と、周辺空気の湿度を検出する湿度センサと、周辺空気の温度を検出する温度センサとを有し、前記制御部は、衣類乾燥運転開始時に、周辺空気の温度と相対湿度とから、乾燥完了の判定値を設定するアルゴリズムと、一定期間毎に検出した周辺温度と相対湿度に基づいて衣類の乾燥速度を算出するアルゴリズムと、前記乾燥速度を一定期間ごとに加算累積するアルゴリズムと、前記加算累積値が前記の乾燥完了の判定値に達したときに衣類の乾燥が終了したと判断するアルゴリズムと、乾燥運転開始時に前記乾燥完了の判定値に所定の係数を乗じた所定時間後の判定値を設定するアルゴリズムと、乾燥運転開始後の所定時間後に、前記所定時間後の判定値と前記乾燥速度の加算累積値とを比較するアルゴリズムと、前記比較結果に応じて、除湿能力を調整するアルゴリズムとを有する構成としたものであり、乾燥運転開始後の所定時間に乾燥速度の加算累積値と所定時間後の判定値比較して、除湿能力の調整を行い衣類乾燥を行うという作用を有する。
【００２５】
また、請求項２記載の発明は、制御部は、送風手段の送風量を変化させることにより除湿能力を調整するアルゴリズムを有するものであり、除湿能力を高めた時は、送風ファンの回転数を上げることにより、強い風を衣類へあて、衣類がより乾燥しやすくなり生乾きの防止となり、除湿能力を低めた時は、送風ファンの回転数を下げることにより、無駄な電力消費を削減でき省エネすることができるという作用を有する。
【００２６】
また、請求項３記載の発明は、前記制御部は、前記ヒータ制御手段の加熱量を変化させることにより除湿能力を調整するアルゴリズムを有するものであり、除湿能力を高めた時は、加熱量を上げることにより、高温の空気を衣類へあてることにより、衣類がより乾燥しやすくなり生乾きの防止となり、除湿能力を低めた時は、加熱量を下げることにより、無駄な電力消費を削減でき省エネすることができるという作用を有する。
【００２７】
また、請求項４記載の発明は、制御部は、除湿能力の表示をするか否かを判定するアルゴリズムを有するものであり、使用者が除湿能力の調整状況が視覚的に認識することができることにより、衣類の干し方を調整する行動を起こすことができ、使い勝手の向上が図れるという作用を有する。
【００２８】
また、請求項５記載の発明は、除湿能力の表示をＯＮ／ＯＦＦするスイッチを備えたものであり、使用者が就寝中等に表示の明かりが気になる時に消すことができ使い勝っての向上が図れ、表示を消すことにより省エネを図れるという作用を有する。
【００２９】
また、請求項６記載の発明は、制御部は、除湿能力の調整を行うか行わないかを選択して設定する構成を有するものであり、使用者が就寝中や除湿機の近傍にいる場合に、除湿能力を高めた時に発生する騒音の増大と室温の上昇防止が図れるという作用を有する。
【００３０】
また、請求項７記載の発明は、前記制御部は、本体周辺の人の存在を検知する人感センサの検知結果に応じて、除湿能力の調整を行うか行わないかを判断するアルゴリズムを有したものであり、除湿能力を高めた場合に発生する騒音の増大と室温の上昇防止が使用者の操作をすることなく自動で行え、使い勝手の向上と快適性を図れるという作用を有する。
【００３１】
また、請求項８記載の発明は、前記制御部は、本体周辺の照度を検知する照度センサの検知結果に応じて、除湿能力の調整を行うか行わないかを判断するアルゴリズムを有したものであり、除湿能力を高めた場合に発生する騒音の増大と室温の上昇防止が使用者の操作をすることなく自動で行え、使い勝手の向上と快適性を図れるという作用を有する。
【００３２】
また、請求項９記載の発明は、前記制御部は、自動で運転を停止することを特徴としたものであり、衣類の乾き度合いを使用者が確認しながら運転を手動で停止する作業が省略でき使い勝って向上を図れるという作用を有する。
【００３３】
以下、本発明の実施の形態について図面を参照しながら説明する。
【００３４】
（実施の形態１）
本発明の実施の形態１について図１〜図４を参照しながら説明する。まず、図１を用いて除湿機の構造を、図２を用いて電気的な構成を説明する。図１に示すように、除湿機は、本体１内に設けた除湿装置２と、送風機３と、再生ヒータ４と、制御部５に接続されて本体周辺の温度を検知する温度センサ６と本体周辺の湿度を検知する湿度センサ７と、本体周辺の人の存在を検知する人感センサ８と、操作表示部９とで構成される。
【００３５】
除湿装置２は、回転する除湿手段としての除湿ロータ１０と、再生ヒータ４により加熱された空気を除湿ロータ１０に送風する再生ファン１１と、熱交換器１２および水タンク１３とで構成されている。
【００３６】
送風機３の駆動により、室内から吸い込まれた空気は熱交換器１２を冷却させた後に、除湿手段としての除湿ロータ１０で吸湿され、除湿された空気が再び室内に放出されて室内の空気が除湿される。
【００３７】
除湿ロータ１０で吸湿された水分は、除湿ロータ１０の他方において、除湿ロータ１０を加熱し再生する再生ヒータ４で加熱された温風により蒸発し、熱交換器１２で冷却されて水分として凝縮して水タンク１３に貯水される。
【００３８】
従って、後述する除湿機の除湿能力は、再生ファン１１の送風力（ファン回転数）と、再生ヒータ４の付勢電力と、送風機３の送風力（ファン回転数）を変化させることにより調整することができる。
【００３９】
なお、操作表示部９には、図示しないが、除湿機の除湿能力の調整を行うか行わないかを使用者が選択して設定する設定スイッチと、除湿能力を表示するＬＥＤと、除湿能力の表示をＯＮ／ＯＦＦできるスイッチを収納している（詳細後述）。
【００４０】
図２に示すように、制御部５は、マイクロコンピュータ２１を核とする構成である。
【００４１】
このマイクロコンピュータ２１に、除湿装置２と送風機３および再生ヒータ４がそれぞれの除湿制御手段２２と送風制御手段２３およびヒータを介して接続されるとともに、室内温度（衣類の周辺空気の温度）を検知する温度センサ６と、室内の相対湿度（衣類の周辺空気の湿度）を検知する湿度センサ７と、除湿機近傍の人を感知する赤外線式等の人感センサ８、および、衣類乾燥運転のスタートを操作するためのスイッチや後述する除湿能力の調整を行うか行わないかを選択して設定する設定スイッチや除湿能力を表示するＬＥＤや除湿能力を表示するＬＥＤをＯＮ／ＯＦＦ切り換えするスイッチが操作表示部９に接続されている。
【００４２】
ここで、除湿制御手段２２は、例えば、再生ファン１１を駆動するためのモータの巻き線タップ（図示しない）を切り換えるためのリレーであり、送風制御手段２３は、例えば、送風機３を駆動するためのモータの巻き線タップ（図示しない）を切り換えるためのリレーである。また、ヒータ制御手段２４は、例えば、再生ヒータ４のタップ（図示しない）を切り換えるためのリレーである。
【００４３】
また、マイクロコンピュータ２１の内部は、空気線図２５と、乾燥完了乾燥度Ｄｘテーブル（運転初期の室内温度と相対湿度に関連した実験結果に基づく常数テーブル）２６と、乾燥条件算出手段２７と、乾燥速度算出手段２８と、乾燥度算出手段２９と、乾燥度判定手段３０および運転停止タイマー３１を内容している。
【００４４】
また、図４に示すように制御部５は、衣類乾燥運転開始時に、温度センサ６と湿度センサ７の信号を受けて周辺空気の温度Ｔｒと相対湿度Ｈｒとから、乾燥完了の判定値Ｄｘを設定するアルゴリズム５Ａと、一定期間毎に検出した前記温度Ｔｒと相対湿度Ｈｒに基づいて衣類の乾燥速度Ｔｔを算出するアルゴリズム５Ｂと、前記乾燥速度Ｔｔを一定期間ごとに加算累積するアルゴリズム５Ｃと、前記加算累積値∫Ｔｔが前記の乾燥完了の判定値Ｄｘに達したときに衣類の乾燥が終了したと判断するアルゴリズム５Ｄと、乾燥運転開始時に前記乾燥完了の判定値Ｄｘに所定の係数を乗じた所定時間後の判定値Ｄｎを設定するアルゴリズム５Ｅと、乾燥運転開始後の所定時間後に、前記所定時間後の判定値Ｄｎと前記乾燥速度Ｔｔの加算累積値∫Ｔｔとを比較するアルゴリズム５Ｆと、前記比較結果に応じて、除湿能力を調整するアルゴリズム５Ｇとを有する。
【００４５】
また、制御部５は、除湿能力の調整を行うか行わないかを選択して設定する構成として、人感センサ８の検知結果に応じて、除湿能力の調整を行うか行わないかを判断するアルゴリズム５Ｈを有する。
【００４６】
さらに、操作表示部９にこの操作表示部９の除湿能力の表示をするか否かを選択する設定スイッチ（図示せず）を設け、制御部５は、このスイッチが有効設定になっているか否かをチェックするアルゴリズム５Ｊを有する。
【００４７】
そして、マイクロコンピュータ２１は、以上の内蔵している要部が温度センサ６と、湿度センサ７と、人感センサ８および、操作表示部９の情報に基づいて機能し、除湿装置２と、送風機３および、再生ヒータ４を制御する構成を有する。
【００４８】
上記構成において、以下本実施の形態の除湿機について、その運転動作を説明する。
【００４９】
まずは本実施の形態の除湿能力の調整方法としての送風力と再生ヒータ４の付勢電力を調整した場合による衣類乾燥度の差について説明する。
【００５０】
図３は、衣類乾燥運転時間と衣類の乾燥度の関係を示した図である。図３（ａ）は乾燥運転の途中で送風機３の送風力をアップした場合の状態を示しており、特性Ｄで示すように運転開始後４時間後に送風力がアップされ、タイマー時限の１０時間以内に乾燥が終了したことを示している（特性Ｃは、送風力がアップされないままの乾燥の進行を示す特性である）。
【００５１】
図３（ｂ）は、乾燥運転の途中で送風機３の送風力をアップし、かつ、再生ヒータ４の付勢電力を高めた場合の状態を示しており、特性Ｅで示すように運転開始後４時間後に送風機３の送風力をアップされ、かつ、再生ヒータ４の付勢電力を高め、タイマー時限１０時間以内の乾燥が終了したことを示している（特性Ｆは、送風力がアップされず、かつ、再生ヒータ４の付勢電力を維持したままの乾燥の進行を示す特性である）。
【００５２】
図３（ｃ）は、乾燥運転の途中で送風機３の送風力をダウンし、かつ、再生ヒータ４の付勢電力を低めた場合の状態を示しており、特性Ｈで示すように運転開始後４時間後に送風機３の送風力をダウンされ、かつ、再生ヒータ４の付勢電力を低め、タイマー時限１０時間以内の乾燥が終了したことを示している（特性Ｇは、送風力がアップされず、かつ、再生ヒータ４の付勢電力を維持したままの乾燥の進行を示す特性である）。
【００５３】
以上のように、送風力と再生ヒータ４の付勢電力を調整することは、除湿能力を調整する方法として極めて有効である。
【００５４】
そして、本実施の形態の除湿機による衣類乾燥の運転は、使用者が操作表示部９の衣類乾燥運転のスタートスイッチ（図示しない）を押した時点から、１０時間後に衣類乾燥運転が自動的に終了するまで、図４のフローチャートに示すアルゴリズムによって除湿機の運転が進められる。
【００５５】
図４のＳ１１において、温度センサ６と湿度センサ７が除湿機周辺空気の温度Ｔｒと相対湿度Ｈｒを検知する。次にＳ１２において、マイクロコンピュータ２１は、乾燥完了の判定値Ｄｘのテーブル２６から検知した前記温度Ｔｒと湿度Ｈｒに相当する乾燥完了の判定値Ｄｘを抽出して設定する。また、この乾燥完了の判定値Ｄｘ値に係数（１．０未満の係数で例えば０．４程度）を乗じた、所定時間後の判定値Ｄｎを設定する。本実施の形態では、例えば、１０時間で乾燥運転が完了するように運転する場合、前記所定時間を４時間とし、乾燥状態として２０℃、７０％ＲＨを目標にした場合、乾燥完了の基準値Ｄｘが７５００であれば所定時間後の基準値Ｄｎは、３０００（係数を０．４かけた結果、係数０．４は１０時間の運転に対して、運転開始から４時間後を所定時間としているので、４÷１０＝０．４としている）となる。
【００５６】
次にＳ１３において、一定時間（例えば１分）で除湿機周辺空気の温度Ｔｒと湿度Ｈｒを検知する。
【００５７】
また、Ｓ１４において、前記温度Ｔｒ  と湿度Ｈｒデータに基づいてマイクロコンピュータ２１が、以下の処理を実施する。すなわち、周辺空気の温度Ｔｒと湿度Ｈｒとから、周辺空気の全熱量Ｉｒと絶対湿度Ｈｒを求める。
【００５８】
さらに、Ｓ１５において、周辺空気の全熱量Ｉｒと絶対湿度Ｘｒから乾燥条件算出手段２７が衣類近傍空気の絶対湿度Ｘｃを推定する（この場合衣類近傍空気の相対湿度は１００％として推定する）。
【００５９】
そして、Ｓ１６において、乾燥速度算出手段２８が、衣類近傍空気の絶対湿度Ｘｃと周辺空気の絶対湿度Ｘｒとの差に係数αを乗じた乾燥速度Ｔｔ（＝α（Ｘｃ−Ｘｒ））を演算する。
【００６０】
この乾燥速度Ｔｔは、Ｓ１７で乾燥度算出手段２９において加算累積され、加算累積値∫Ｔｔとしてマイクロコンピュータ２１内のメモリに記憶される。
【００６１】
そして、Ｓ１８において、衣類乾燥運転のスタートから所定時間としての４時間が経過するまでは、後述するＳ２４へジャンプするが、衣類乾燥運転のスタートから４時間経過した時は、Ｓ１９において、操作表示部９の除湿能力を調整を行うか行わないかを選択する設定スイッチにて設定しているか否かすなわち有効設定になっているか否かをチェックする。「ＮＯ（否）」であればＳ２４へジャンプするが、「ＹＥＳ（有効設定されている）」であれば次のＳ２０において、人感センサ８が人を検知しているかをチェックする。人を検知していなければＳ２４へジャンプするが、人を検知していれば次のＳ２１の処理を行う。
【００６２】
人を検知している場合、Ｓ２１において、乾燥度判定手段３０によって、Ｓ１７のＴｔの累積値∫ＴｔとＳ１２で設定された所定時間後の判定値Ｄｎとが比較される。「∫Ｔｔ＜Ｄｎ」に対して「ＹＥＳ」すなわち加算累積値∫Ｔｔで示す４時間後の乾燥状態が所定時間後の判定値Ｄｎで示す所定時間後（４時間後）の目標の乾燥状態より進んでいない状態であればＳ２２にて除湿能力がアップされ、「ＮＯ」であればＳ２３にて除湿能力がダウンされる。
【００６３】
ここで、Ｓ２２の除湿能力をアップする処理とＳ２３の除湿能力をダウンする処理についてさらに図３を用いて説明する。
【００６４】
すなわち、図３（ａ）のように４時間後の乾燥状態を確認したときに所定時間後の判定値Ｄｎに対して加算累積値∫ＴｔがΔＤ１だけ小さくあらかじめ設定した所定値ｋ以内であれば送風機３の送風力を高めることとなる。ここで、所定値ｋは、例えば前記所定時間後の判定値Ｄｎの３０００に対して９００すなわち３０％程度の値とする。
【００６５】
また、図３（ｂ）のように、４時間後の乾燥状態を確認したときに加算累積値∫Ｔｔが所定時間後の判定値Ｄｎより小さく、この所定時間後の判定値Ｄｎと加算累積値∫Ｔｔとの差ΔＤ２が前記所定値ｋより大きい場合であれば送風機３の送風力を高めると共に、再生ヒータ４の付勢電力を高めた状態で運転を行うこととなる。そして約９時間で衣類の乾燥が終了する。
【００６６】
また、図３（ｃ）のように、４時間後の乾燥状態を確認したときに加算累積値∫Ｔｔが所定時間後基準乾燥度Ｄｎより大きく、加算累積値∫Ｔｔと所定時間後の判定値Ｄｎとの差ΔＤ３が所定値ｋより大きいので送風機３の送風力を低めると共に、再生ヒータ４の付勢電力を低めた状態で運転を行うこととなる。そして約９時間で衣類の乾燥が終了する。
【００６７】
このように、衣類乾燥運転の途中で、所定時間経過後の目標の乾燥状態を示す所定時間後の判定値Ｄｎと所定時間後の実際の乾燥状態を示す加算累積値∫Ｔｔを比較して、その大小と偏差値に応じて、送風機３や再生ヒータ４の付勢電力を組み合わせて除湿機の能力を高めたり、または、低めたりして調整を行い、所定時間内（この場合１０時間）に衣類を適正に乾燥できる。なお、除湿機の能力を調整する方法としては、前述したように、除湿装置２の再生ファン１１の送風力（ファン回転数）を調整することであってもよく、これらを組み合わせて実施してもかまわない。
【００６８】
さて、このようにして除湿機の能力を調整して運転を行うが、使用者が除湿能力の調整状況が視覚的に認識して衣類の干し方を調整してより効果的に衣類乾燥が行えるようにするために運転状態である除湿運転の能力を示す必要がある。そこで、図４のＳ２４に示すよう操作表示部９の除湿能力の表示をするかどうかを選択する設定スイッチが有効設定になっているか否かをチェックする。「ＮＯ（否）」であればＳ２６へジャンプするが、「ＹＥＳ（有効設定になっている）」であれば次のＳ２５において、除湿能力の調整結果の表示を行う。つまり、除湿能力アップと除湿能力ダウンに対応したＬＥＤの点灯を行う（ＬＥＤおよび具体的な表示は図示しない）。
【００６９】
また、Ｓ２６において、加算累積値∫Ｔｔと乾燥完了の判定値Ｄｘを比べて乾燥終了のチェックが行われ、このステップで「ＮＯ」と判断された場合、すなわち加算累積値∫Ｔｔが乾燥完了の判定値Ｄｘに満たない場合は、再びＳ１３の戻り、１分毎のＴｒとＨｒの検知を行い、これに基づいて前述の算出動作が行われ衣類の乾燥状態である累積値∫Ｔｔを算出しながら運転を続けることとなる。そして再びＳ２６で衣類の乾燥度である加算累積値∫ＴｔがＳ１２で再度設定された乾燥完了の判定値Ｄｘに達すると衣類乾燥運転が終了する。
【００７０】
以上説明したように本発明の除湿機は、衣類乾燥の運転初期において、周辺空気の温度と相対湿度とから、乾燥完了の判定値と、この所定値に基づく所定時間後の判定値を設定し、運転開始後の所定時間後において、一定間隔で検知した周辺空気の温度と相対湿度に基づいて算出した乾燥速度の加算累積値を乾燥完了の判定値に基づいて算出した所定時間後の判定値と比較し、その結果のより、送風機の回転数や再生ヒータの付勢電力を調整して除湿機の除湿能力を調整ようにしたものである。
【００７１】
このことにより、部屋の広さ、部屋の湿度、衣類の量などの条件が異なった場合にも、所定時間内に衣類を適正に乾燥させることができる。
【００７２】
（実施の形態２）
本発明の実施の形態１について図５〜図７を参照しながら説明する。まず、図５を用いて除湿機の構造を、図６を用いて電気的な構成を説明する。
【００７３】
図５と図６において、実施の形態１と異なる構成は、制御部５に接続するセンサの一つとして人感センサ８と除湿能力の調整を行うか行わないかを判断するアルゴリズム５Ｈに替えてを除湿機周辺の照度を検出する照度センサ５１と、この照度センサ５１の検知結果に応じて、除湿能力の調整を行うか行わないかを判断するアルゴリズム５Ｋを設けた点である。
【００７４】
なお、図５と図６について、理解を容易にするために実施の形態１と同様の構成は同一符号を用いてその説明を簡略化する。
【００７５】
以下、前記アルゴリズム５Ｋについて説明する。
【００７６】
図７は使用者が操作表示部９の衣類乾燥運転のスタートスイッチ（図示しない）を押した時点から、衣類乾燥運転が自動的に終了するまでの動作を示すフローチャートである。
【００７７】
図７において、実施の形態１と異なるところは、制御部５に接続された照度センサ５１の検知結果に応じて、除湿能力の調整を行うかどうかの判断を設けた点である。すなわち、Ｓ４０において、照度センサ５１が暗いと検知していればＳ４４へジャンプするが、明るいと検知していれば次のＳ４１以降の除湿能力の調整の処理を行う。
【００７８】
以上の構成により、除湿機の本体周辺が明るいときは除湿能力の調整を行い、除湿機周辺が暗ければ除湿能力の調整を行わない。
【００７９】
このことにより、夜間の就寝中など自動で除湿能力の調整を行わなくすることにより除湿機から発生する騒音の維持をすることができる。すなわち除湿能力の調整による不意な騒音の発生をなくし使い勝手と快適性の向上が図れる。
【産業上の利用可能性】
【００８０】
本発明の除湿機は、部屋の広さ、部屋の湿度、衣類の量などの条件が異なった場合にも、所定時間内に衣類を適正に乾燥させることができ、また、就寝中や使用者が除湿機近傍にいるときなど不必要な騒音を排除できるので家庭用の除湿機に関わらず旅館など業務用の用途にも適用できる。
【図面の簡単な説明】
【００８１】
【図１】本発明の実施の形態１の除湿機の構造を示す図
【図２】同電気的な構成を示す図
【図３】同運転動作を説明するための図（（ａ）乾燥運転の途中で送風機の送風力をアップした場合の状態を示す図、（ｂ）乾燥運転の途中で送風機の送風力をアップし、かつ、再生ヒータの付勢電力を高めた場合の状態を示す図、（ｃ）乾燥運転の途中で送風機の送風力をダウンし、かつ、再生ヒータの付勢電力を低めた場合の状態を示す図）
【図４】同運転動作の詳細を示すフローチャート
【図５】本発明の実施の形態２の除湿機の構造を示す図
【図６】同電気的な構成を示す図
【図７】同運転動作の詳細を示すフローチャート
【符号の説明】
【００８２】
１    本体
２    除湿装置
３    送風機
４    再生ヒータ
５    制御部
５Ａ  アルゴリズム
５Ｂ  アルゴリズム
５Ｃ  アルゴリズム
５Ｄ  アルゴリズム
５Ｅ  アルゴリズム
５Ｆ  アルゴリズム
５Ｇ  アルゴリズム
５Ｈ  アルゴリズム
５Ｊ  アルゴリズム
６    温度センサ
７    湿度センサ
８    人感センサ
９    操作表示部
１０  除湿ロータ
１１  再生ファン
１２  熱交換器
１３  水タンク
５１  照度センサ
【図１】
2010094168.tif 000003
【図２】
2010094168.tif 000004
【図３】
2010094168.tif 000005
【図４】
2010094168.tif 000006
【図５】
2010094168.tif 000007
【図６】
2010094168.tif 000008
【図７】
2010094168.tif 000009